(57)【要約】【課題】簡素な構造の位置決め装置の採用によって、安価にても比較的精度よくシート材を所定の長さに裁断することを可能にするとともに、剥離フィルムの円滑な剥離と巻取りおよび巻芯の取外しが容易なシート材裁断装置を提供することを目的とする。【解決手段】シート材格納ボックス１１から取り出されたシート材１の表裏から各剥離フィルム３、４を剥離してガイドローラ２２Ａ、２２Ｂにガイドされつつ上下一対の巻取りドラム２３Ａ、２３Ｂに巻き取り、スイッチング動作で倒伏する裁断寸法位置決めバー３３に突き当ててシート本体２を所定の長さに裁断して秤量することを特徴とするもので、表裏に剥離フィルム３、４が貼着されたシート材１を一連の搬送動作によって、円滑に剥離フィルム３、４を剥離した上で、シート本体２を所定の長さに裁断して秤量することができ、製品成形のために金型等に装填する成形単位量を精度よく準備することが可能となる。【選択図】　図１
2004067267.tif 000002
【特許請求の範囲】
【請求項１】
シート本体の表裏に剥離フィルムが貼着されたシート材をシート材格納ボックスから取り出すシート材取出し部と、前記シート本体の表裏から各剥離フィルムを剥離してガイドローラにガイドされつつ上下一対の巻取りドラムに巻き取るフィルム剥離部と、フィルムが剥離されたシート本体を所定の長さに裁断して秤量するシート裁断・秤量部とからなることを特徴とするシート材裁断装置。
【請求項２】
前記シート材の搬送が、ガイドローラにガイドされて剥離フィルムを剥離しつつ巻き取る前記上下一対の巻取りドラムの回転に伴ってなされるように構成されたことを特徴とする請求項１に記載のシート材裁断装置。
【請求項３】
前記一対の巻取りドラムはエアーモータにより駆動され、互いに同期回転するように構成されたことを特徴とする請求項１または２に記載のシート材裁断装置。
【請求項４】
前記剥離フィルムが剥離されたシート本体を所定の長さに裁断するために、スイッチ手段の投入による巻取りドラムの回転によりシート本体の搬送を開始するとともに、秤量器上におけるシート本体の先端位置に裁断寸法位置決めバーを倒伏させ、該裁断寸法位置決めバーへのシート本体の先端の当接によりスイッチ手段を開放して巻取りドラムの回転を停止し、シート本体を裁断した後に裁断寸法位置決めバーの起立がなされるように構成したことを特徴とする請求項１から３のいずれかに記載のシート材裁断装置。
【請求項５】
前記シート本体の表裏から剥離フィルムを剥離しつつガイドするガイドローラの幅を、剥離フィルムの幅より小さく構成したシート本体よりさらに幅を小さく構成したことを特徴とする請求項１から４のいずれかに記載のシート材裁断装置。
【発明の詳細な説明】
【０００１】
【発明の属する技術分野】
本発明は、シート本体の表裏に剥離フィルムが貼着されたシート材の裁断装置に関する。好適には、ＦＲＰ等の成形に用いられるＳＭＣ（シートモールディングコンパウンド）の秤量を伴うシート材の搬送、裁断装置に適用される。
【０００２】
【従来の技術】
ユニットバス等のＦＲＰ製品を製造するには、未加硫シート状のＳＭＣを所定の長さに裁断した上で金型に積層・装填し、加硫を伴うプレス成形によってなされる。通常、ＳＭＣシート材は、シート本体を構成するフェノール樹脂やメラミン樹脂あるいは不飽和ポリエステル等の熱硬化性の成形材料とガラス繊維の混在した未加硫でべとつくＳＭＣ材料と、該ＳＭＣ材料のシート本体を成形に供するまでの運搬時や保存時にシート本体への塵埃の付着、水分の浸透あるいは熱劣化等を防止するために、シート本体の表裏に貼着されるポリフィルム（ポリプロピレンやポリエチレンからなるシート状物）等の保護のための剥離フィルムとから構成される。一方、ＳＭＣ等のシート材は、成形のための金型への装填の際には、所定の一定の長さに裁断されたものを、複数枚を積層して重量調整をする必要があった、その際、ＳＭＣ等のシート材の強度の確保のために、シートの方向性を考慮して交互積層が要求された。
【０００３】
【発明が解決しようとする課題】
前記ＳＭＣ等材料のシート本体を保護するために貼着されるポリフィルム等の剥離フィルムは一般にガス透過率が大きく、シート本体のＳＭＣ材料中に含まれるスチレン成分が移行してしまう現象が生じた。該移行したスチレンにより剥離フィルムが容易に伸びる性質に変質する一方、スチレンが飛散した場合には剥離フィルムが収縮してしまう性質があった。その結果、ＳＭＣシート材を成形にするに際して剥離フィルムを剥離する場合に、該剥離フィルムのガイドおよび巻取りの段階にて、スチレンが飛散してガイドローラが汚損したり、巻き取られた剥離フィルムの巻芯が巻取りドラムに締め付けられて容易に抜き取ることができなくなる虞れがあった。
【０００４】
この傾向は、特にＳＭＣシート材および剥離フィルムの幅と巻取ガイドローラおよび巻取りドラムの幅との関係が近似する場合に顕著であった。つまり、ＳＭＣシート材の幅よりガイドローラの幅が大きいと、ＳＭＣシート材の幅端部の剥離フィルム部にテンションが掛かり、ＳＭＣシート材の幅端部の樹脂が露出してローラを汚損したり、剥離フィルムに引っ張られてＳＭＣシート材幅端部が巻取りドラムまで持っていかれて剥離フィルムの巻取幅端部が突隆起して巻芯が抜けなくなる虞れがあった。また、ＳＭＣ等のシート材を一定の長さに裁断するために、距離計を設置して自動的にＳＭＣ等のシート材を停止させる方法も提案されたがコスト高を招く割には精度がそれ程高くなく、衝立に当接させてＳＭＣ等のシート材を停止させる提案もあるが、裁断した複数のシート材の交互積層時の邪魔になる虞れもあって実際的でなかった。
【０００５】
そこで本発明は、前記従来のシート材の裁断方法の諸課題を解決して、簡素な構造の位置決め装置の採用によって、安価にても比較的精度よくシート材を所定の長さに裁断することを可能にするとともに、剥離フィルムの円滑な剥離と巻取りおよび巻芯の取外しが容易なシート材裁断装置を提供することを目的とする。
【０００６】
【課題を解決するための手段】
このため本発明は、シート本体の表裏に剥離フィルムが貼着されたシート材をシート材格納ボックスから取り出すシート材取出し部と、前記シート本体の表裏から各剥離フィルムを剥離してガイドローラにガイドされつつ上下一対の巻取りドラムに巻き取るフィルム剥離部と、フィルムが剥離されたシート本体を所定の長さに裁断して秤量するシート裁断・秤量部とからなることを特徴とする。また本発明は、前記シート材の搬送が、ガイドローラにガイドされて剥離フィルムを剥離しつつ巻き取る前記上下一対の巻取りドラムの回転に伴ってなされるように構成されたことを特徴とする。また本発明は、前記一対の巻取りドラムはエアーモータにより駆動され、互いに同期回転するように構成されたことを特徴とする。また本発明は、前記剥離フィルムが剥離されたシート本体を所定の長さに裁断するために、スイッチ手段の投入による巻取りドラムの回転によりシート本体の搬送を開始するとともに、秤量器上におけるシート本体の先端位置に裁断寸法位置決めバーを倒伏させ、該裁断寸法位置決めバーへのシート本体の先端の当接によりスイッチ手段を開放して巻取りドラムの回転を停止し、シート本体を裁断した後に裁断寸法位置決めバーの起立がなされるように構成したことを特徴とする。また本発明は、前記シート本体の表裏から剥離フィルムを剥離しつつガイドするガイドローラの幅を、剥離フィルムの幅より小さく構成したシート本体よりさらに幅を小さく構成したことを特徴とするもので、これらを課題解決のための手段とするものである。
【０００７】
【実施の形態】
以下、本発明のシート材裁断装置の実施の形態を図面に基づいて詳細に説明する。図１〜図３は本発明のシート材裁断装置の１つの実施の形態を示すもので、図１は全体側面図、図２は秤量部における裁断寸法位置決めバーの動作を示す要部正面図、図３はフィルム剥離部におけるフィルムガイドローラ近傍の要部正面図である。本発明の基本的な構成は、図１に示すように、シート本体２の表裏に剥離フィルム３、４が貼着されたシート材１をシート材格納ボックス１１から取り出すシート材取出し部１０と、前記シート本体２の表裏から各剥離フィルム３、４を剥離してガイドローラ２２Ａ、２２Ｂにガイドされつつ上下一対の巻取りドラム２３Ａ、２３Ｂに巻き取るフィルム剥離部２０と、フィルム３、４が剥離されたシート本体２を所定の長さに裁断して秤量するシート裁断・秤量部３０とからなることを特徴とする。
【０００８】
以下に詳述すると、図１において、装置右側のシート材取出し部１０では、折り畳まれて格納されたシート材１が、表裏に剥離フィルムが貼着された状態のままシート材格納ボックス１１から略鉛直に取り出される。シート材格納ボックス１１から取り出されたシート材１は、ガイドローラ等により略水平方向に転向されて、シート本体２の表裏の剥離フィルム３、４を剥離すべくフィルム剥離部２０に搬送される。フィルム剥離部２０は、剥離部台枠２１内に設置されたエアーモータ２４と、該エアーモータ２４により駆動チェーン２５を介して駆動される一対の巻取りドラム２３Ａ、２３Ｂと、シート本体２の表裏の剥離フィルム３、４を剥離しつつガイドする上下一対のフィルムガイドローラ２２Ａ、２２Ｂとから構成される。
【０００９】
前記シート本体２の表裏から剥離される剥離フィルム３、４がドラム２３Ａ、２３Ｂに巻き取られることによってシート材１の搬送駆動力が得られる。前記エアーモータ２４により駆動される一対の巻取りドラム２３Ａ、２３Ｂは、これらに懸回された同期チェーン２６により同期回転する。エアーモータ２４は、床面に設置された足踏みスイッチ５の踏動により、適宜の圧力源からのエアーの供給を受けて駆動され、足踏みの開放で停止する。フィルム剥離部２０にて表裏の剥離フィルム３、４が剥離され、これらの剥離フィルムが上下一対の巻取りドラム２３Ａ、２３Ｂに巻き取られたシート本体２は、所定の一定の長さに裁断されて交互積層され、製品の成形時に、金型等に装填するのに必要な成形単位となる所定の重量が秤量されるシート裁断・秤量部３０に搬送される。なお、フィルム剥離部２０における符号６は巻取りドラム２３Ａにて巻き取られた剥離フィルムを巻芯から取り外したものを受ける上部巻取りフィルム受台を示し、符号７は巻取りドラム２３Ｂにて巻き取られた剥離フィルムを巻芯から取り外したものを受ける下部巻取りフィルム受台を示す。
【００１０】
シート裁断・秤量部３０は、秤量部台枠３１上に秤量器３２を搭載した秤量部と、剥離フィルム３、４が剥離されたシート本体２を所定の長さに裁断するためのカッター等からなる裁断部２９（フィルム剥離部２０の最後に位置する）と、秤量器３２上におけるシート本体２の先端位置に設置された裁断寸法位置決めバー３３とから構成される。図２に示すように、裁断寸法位置決めバー３３は、前記足踏みスイッチ５の踏動により圧力源からエアーモータ２４へのエアーの供給に連動して、伸張する作動シリンダ３５によって支軸３４を軸心として倒伏され、エアーの供給の遮断により後退する作動シリンダ３５によって起立される。
【００１１】
したがって、足踏みスイッチ５の踏動によりシート本体２の搬送が開始されると同時に、裁断寸法位置決めバー３３が秤量器３２上に倒伏してシート本体２の進路を断ち、シート本体２を所定の一定の長さに裁断すべく先端の位置決めがなされる。シート本体２の先端が裁断寸法位置決めバー３３に当接すると、後端が裁断部２９にてカッター等により裁断される。カッター等による裁断は、シート本体２の裁断寸法位置決めバー３３への当接の検出と同時になされてもよいが、シート本体２の先端の裁断寸法位置決めバー３３への当接の検出によって、先ずエアーの供給を停止させ、シート本体２の搬送を停止させておいて裁断を行った後（タイマー回路等により）に裁断寸法位置決めバー３３を起立させるように構成してもよい。または、やや熟練を要するものの、足踏みスイッチ５の踏動の開放による、シート本体２の搬送の停止と裁断寸法位置決めバー３３の起立および裁断時期との調整をスイッチ動作により行うようにしてもよい。
【００１２】
図３に示すように、前記フィルム剥離部２０において、シート本体２の表裏から剥離フィルム３、４を剥離しつつガイドするガイドローラ２２（図３では下フィルムガイドローラ２２Ｂ）の幅を、剥離フィルム３、４の幅より小さく構成したシート本体２よりさらに幅を小さく構成するものである。このような構成によって、剥離フィルム３、４の幅端部にテンションが掛かることが防止されて、スチレンやシート本体２の成分が剥離してガイドローラ２２を汚損させたり、剥離した成分が剥離フィルム３、４とともにフィルム巻取りドラム２３に巻き付いて巻芯が抜けにくくなることがない。また、剥離フィルム３、４の幅端部がシート本体２側にめくれた不良部が存在したとしても、ガイドローラ２２がこれを潰して剥離フィルム３、４の剥離を妨げる事態を発生させるようなことも防止される。
【００１３】
以上のように、シート材取出し部１０から取り出されたシート材１は、フィルム剥離部２０にて、ガイドローラにより幅端部に集中することなく比較的均等で適度のテンションにてガイドされつつ適正に剥離フィルム３、４が剥離されて巻取りドラムに巻き取られるので、シート本体２を円滑に裁断部に搬送することができる。そして、裁断寸法位置決めバー３３の動作によって、シート本体２をシート裁断・秤量部３０にて精度よく所定の一定の長さに裁断し、これらを交互積層して、製品の成形時に金型等に装填するのに必要な成形単位となる所定の重量を秤量することができる。しかも、所定の一定の長さに裁断されたシート本体２の裁断片を交互積層するに際して、積層作業の間は裁断寸法位置決めバー３３を上方へ起立させておくことができて作業がし易い。
【００１４】
以上、本発明の実施の形態について詳述したが、本発明の趣旨の範囲内で、シート本体および剥離フィルムの形状、材質（ＳＭＣシートの場合のガラス繊維と熱硬化性の成形材料とガラス繊維の混在形態の他、適宜の材質の未加硫シート本体等に適用可能である）および剥離フィルムのシート本体からのはみ出し量、シート材のシート材格納ボックス内での格納形態（好適には水平多段状のジグザグ状に折り畳まれるが、鉛直多段状あるいはロール状に格納されることを妨げるものではない）、ガイドローラおよび巻取りドラムの形状、形式（単胴巻芯への巻取りの他、複数の巻芯を組み合わせた多胴巻芯への巻取り形式等）および剥離フィルムの始端部の巻取りドラムへの係止形態（手指による係止部への係止あるいは接着等の手段にて適宜係止してもよい）、シート材の搬送形態（巻取りドラムはエアー圧を駆動源とするエアーモータにより駆動されるものを好適とするが、電動モータ、油圧モータ等により駆動されるものも採用可能である）、エアーモータの形状、形式および回転制御形態（供給エアーの圧力値制御あるいは流量制御）ならびにそれらの間の同期回転形態（同期チェーンの懸回の他、電子制御による同期制御であってもよい）、スイッチ手段の形状、形式および配設位置（足踏みスイッチを好適とするが、手動スイッチでもよい）、秤量器の形状、形式、裁断寸法位置決めバーの形状、形式および作動形態（エアーモータへのエアーの一部を受給した作動シリンダによる他、電気的な駆動手段により起伏させてもよい）、裁断部におけるカッター等の形式および裁断形態（シート本体幅と同幅のカッターにより一挙に裁断してもよいし、円板型カッターの幅方向移動により裁断してもよい）、ガイドローラのシート材に対する幅の割合等については適宜採用できるものである。
【００１５】
【発明の効果】
以上詳細に述べたように、本発明によれば、シート材裁断装置を、シート本体の表裏に剥離フィルムが貼着されたシート材をシート材格納ボックスから取り出すシート材取出し部と、前記シート本体の表裏から各剥離フィルムを剥離してガイドローラにガイドされつつ上下一対の巻取りドラムに巻き取るフィルム剥離部と、フィルムが剥離されたシート本体を所定の長さに裁断して秤量するシート裁断・秤量部とから構成したことにより、表裏に剥離フィルムが貼着されたシート材を一連の搬送動作によって、円滑に剥離フィルムを剥離した上で、シート本体を所定の長さに裁断して秤量することができ、製品成形のために金型等に装填する成形単位量を精度よく準備することが可能となる。
【００１６】
また、前記シート材の搬送が、ガイドローラにガイドされて剥離フィルムを剥離しつつ巻き取る前記上下一対の巻取りドラムの回転に伴ってなされるように構成された場合は、巻取りドラムによる剥離フィルムの巻取り牽引力が、効果的にシート材を搬送させるとともに、剥離フィルムを剥離しつつガイドするガイドローラのガイド機能により円滑にシート本体が繰り出されて搬送される。
さらに、前記一対の巻取りドラムはエアーモータにより駆動され、互いに同期回転するように構成された場合は、エアー圧を駆動源とするので過度の巻取り力が作用することがなく、しかも表裏の剥離がずれることなく適正に行われるので、不均衡搬送等により搬送中にシート材が破損することが防止される。
【００１７】
さらにまた、前記前記剥離フィルムが剥離されたシート本体を所定の長さに裁断するために、スイッチ手段の投入による巻取りドラムの回転によりシート本体の搬送を開始するとともに、秤量器上におけるシート本体の先端位置に裁断寸法位置決めバーを倒伏させ、該裁断寸法位置決めバーへのシート本体の先端の当接によりスイッチ手段を開放して巻取りドラムの回転を停止し、シート本体を裁断した後に裁断寸法位置決めバーの起立がなされるように構成した場合は、人為的なスイッチ手段の投入毎に、シート材の搬送とともに、裁断寸法位置決めバーの倒伏によりシート本体を精度よく所定の長さに裁断することができ、しかも、スイッチ手段の開放時には、裁断寸法位置決めバーを起立させておくことができるので、該裁断寸法位置決めバーに邪魔されることなく、裁断されたシート材の交互積層等の成形の前処理作業を容易に行うことができる。
【００１８】
また、前記シート本体の表裏から剥離フィルムを剥離しつつガイドするガイドローラの幅を、剥離フィルムの幅より小さく構成したシート本体よりさらに幅を小さく構成した場合は、剥離フィルムの幅端部にテンションが掛かることが防止されて、シート本体中の成分や剥離フィルムに移行した成分が剥離してガイドローラを汚損させたり、剥離した成分が剥離フィルムとともにフィルム巻取りドラムに巻き付いて巻芯が抜けにくくなることがない。また、剥離フィルムの幅端部がシート本体側にめくれた不良部が存在したとしても、ガイドローラがこれを潰して剥離フィルムの剥離を妨げる事態を発生させるようなことも防止される。
かくして、簡素な構造の位置決め装置の採用によって、安価にても比較的精度よくシート材を所定の長さに裁断することを可能にするとともに、剥離フィルムの円滑な剥離と巻取りおよび巻芯の取外しが容易なシート材裁断装置が提供される。
【図面の簡単な説明】
【図１】本発明のシート材裁断装置の１つの実施の形態を示すもので、全体側面図である。
【図２】同、秤量部における裁断寸法位置決めバーの動作を示す要部正面図である。
【図３】同、フィルム剥離部におけるフィルムガイドローラ近傍の要部正面図である。
【符号の説明】
１　　シート材
２　　シート本体
３　　剥離フィルム
４　　剥離フィルム
５　　足踏みスイッチ
６　　上部巻取りフィルム受台
７　　下部巻取りフィルム受台
１０　　シート材取出し部
１１　　シート材格納ボックス
２０　　フィルム剥離部
２１　　剥離部台枠
２２　　フィルムガイドローラ
２２Ａ　上フィルムガイドローラ
２２Ｂ　下フィルムガイドローラ
２３　　フィルム巻取りドラム
２３Ａ　上フィルム巻取りドラム
２３Ｂ　下フィルム巻取りドラム
２４　　エアーモータ
２５　　駆動チェーン
２６　　同期チェーン
２９　　裁断部
３０　　シート裁断・秤量部
３１　　秤量部台枠
３２　　秤量器
３３　　裁断寸法位置決めバー
３４　　支軸
３５　　作動シリンダ
【図１】
2004067267.tif 000003
【図２】
2004067267.tif 000004
【図３】
2004067267.tif 000005